(57)【要約】  ファン（２、２）を取り付けるための開口孔（１１１、１１１）と、襟部空気排出部（１１２）及び袖部空気排出部（１１３、１１３）と、を備える服地部（１１）と、服地部（１１）の丈方向において開口孔（１１１、１１１）と略同一の位置の服地部（１１）に備えられ、開口孔（１１１、１１１）周辺の服地部（１１）の膨張を規制し、開口孔（１１１、１１１）にファン（２、２）を取り付け着用した際に、ファン（２、２）を着用者の身体（ＢＤ）に密着させる膨張規制手段（１４）と、を備える。これによって、ファン（２、２）を取り付けた部位が膨らむことを防止することができる空調衣服（１００）の服本体（１）及び空調衣服（１００）を提供することができる。
2018146915.tif 000002
【特許請求の範囲】
【請求項１】
ファンを取り付けるための開口孔と、空気排出部と、を備える服地部と、  前記服地部の丈方向において前記開口孔と略同一の位置の前記服地部に備えられ、前記開口孔周辺の前記服地部の膨張を規制し、前記開口孔にファンを取り付け着用した際に、ファンを着用者の身体に密着させる膨張規制手段と、  を備えることを特徴とする空調衣服の服本体。
【請求項２】
前記膨張規制手段は、前記服地部の裏面に胴周囲に沿って配置される紐状部材を備えることを特徴とする請求項１に記載の空調衣服の服本体。
【請求項３】
前記紐状部材を前記服地部の裏面に保持する紐保持手段を備え、  前記紐保持手段は、前記服地部の前記開口孔の周辺に備えられる開口孔周辺紐保持手段を含むことを特徴とする請求項２に記載の空調衣服の服本体。
【請求項４】
前記紐保持手段は、前記服地部の前記開口孔から離間した位置に備えられる開口孔間紐保持手段を含むことを特徴とする請求項３に記載の空調衣服の服本体。
【請求項５】
前記開口孔周辺紐保持手段と、前記開口孔間紐保持手段と、は前記紐状部材を挿通可能な開口部を有し、前記開口孔周辺紐保持手段の開口部は、前記開口孔間紐保持手段の開口部と比較して、水平方向の最大径が小さいことを特徴とする請求項４に記載の空調衣服の服本体。
【請求項６】
前記紐状部材は、弾性を有する材料によって形成されていることを特徴とする請求項２から５のいずれか一項に記載の空調衣服の服本体。
【請求項７】
前記紐状部材は、前記開口孔の近傍において前記服地部に固定されていることを特徴とする請求項２に記載の空調衣服の服本体。
【請求項８】
前記開口孔は、前記服地部の丈方向において略同一の位置に２か所形成され、  前記紐状部材は、一端部が右側の開口孔の近傍において前記服地部に固定された右紐状部材と、一端部が右側の開口孔の近傍において前記服地部に固定され、他端部が左側の開口孔の近傍において前記服地部に固定された中央紐状部材と、一端部が左側の開口孔の近傍において前記服地部に固定された左紐状部材と、を含むことを特徴とする請求項７に記載の空調衣服の服本体。
【請求項９】
前記中央紐状部材は、前記右紐状部材及び前記左紐状部材と比較して、弾性が小さい部材であることを特徴とする請求項８に記載の空調衣服の服本体。
【請求項１０】
前記紐状部材の一端部には第１連結手段が備えられ、前記紐状部材の他端部には第２連結手段が備えられ、  前記第１連結手段と前記第２連結手段とは、着用者の前方において着脱自在に構成されていることを特徴とする請求項２から９のいずれか一項に記載の空調衣服の服本体。
【請求項１１】
前記膨張規制手段は、前記紐状部材の長さを調整する調整手段を備えることを特徴とする請求項２から１０のいずれか一項に記載の空調衣服の服本体。
【請求項１２】
請求項１から１１のいずれか一項に記載の空調衣服の服本体を備えた空調衣服。
【発明の詳細な説明】
【技術分野】
【０００１】  本発明は、空調衣服の服本体及び空調衣服に関するものである。
【背景技術】
【０００２】  近年、身体を冷却する空調衣服が実用化され、急速に普及しつつある。従来の空調衣服は、通気性の低い素材で形成された服本体と、服本体の後側の下方の開口孔に取り付けられた２つのファンと、２つのファンに電力を供給するための電源装置と、電源装置と２つのファンとを電気的に接続するための電源ケーブルとを備える。【０００３】  ファンを作動させると、大量の空気がファンから服本体内に取り込まれる。取り込まれた空気の圧力により服本体と着用者の身体との間に空気流通路が自動的に形成され、取り込まれた空気は、形成された空気流通路を着用者の身体又は下着の表面に沿って上方に流通し、例えば、襟部や袖部の開口部から外部に排出される。  そして、取り込まれた空気が、服本体と着用者の身体又は下着との間の空気流通路を流通する間に、身体から出た汗を蒸発させ、蒸発する時の気化熱により身体が冷却される（例えば、特許文献１参照）。
【先行技術文献】
【特許文献】
【０００４】
【特許文献１】国際公開２００５／０６３０６５号
【発明の概要】
【発明が解決しようとする課題】
【０００５】  しかしながら、従来の空調衣服では、服本体のファンが取り付けられる開口孔の周辺が、服本体内に外気を取り込むことにより発生する陽圧、大量の空気を服本体内に導入する反動等により大きく膨らんでしまうことがあった。そして、ファンを取り付けた部位が大きく膨らんだ場合、作業の妨げになってしまうことがあった。【０００６】  さらに、ファンを取り付けた部位が大きく膨らむことによって、下記のような問題が生じる。【０００７】  １  体を回転した際に、遠心力によりファンが身体からさらに離れ、周囲にぶつかる確率が増加する。  ２  ファンが着用者の身体から離れることにより、ファンに物が衝突したり、使用者が飛び跳ねたりすることによって、ファンに衝撃が加わる可能性が高くなる。そのため、ファンを、その衝撃に耐えることのできる丈夫な構造としなければならず、重量が増加する等の弊害が生じる。【０００８】  本発明の課題は、ファンを取り付けた部位が膨らむことを防止することができる空調衣服の服本体及び空調衣服を提供することにある。
【課題を解決するための手段】
【０００９】  上記課題を解決するため、請求項１に記載の発明は、空調衣服の服本体において、  ファンを取り付けるための開口孔と、空気排出部と、を備える服地部と、  前記服地部の丈方向において前記開口孔と略同一の位置の前記服地部に備えられ、前記開口孔周辺の前記服地部の膨張を規制し、前記開口孔にファンを取り付け着用した際に、ファンを着用者の身体に密着させる膨張規制手段と、  を備えることを特徴とする。【００１０】  請求項２に記載の発明は、請求項１に記載の空調衣服の服本体において、  前記膨張規制手段は、前記服地部の裏面に胴周囲に沿って配置される紐状部材を備えることを特徴とする。【００１１】  請求項３に記載の発明は、請求項２に記載の空調衣服の服本体において、  前記紐状部材を前記服地部の裏面に保持する紐保持手段を備え、  前記紐保持手段は、前記服地部の前記開口孔の周辺に備えられる開口孔周辺紐保持手段を含むことを特徴とする。【００１２】  請求項４に記載の発明は、請求項３に記載の空調衣服の服本体において、  前記紐保持手段は、前記服地部の前記開口孔から離間した位置に備えられる開口孔間紐保持手段を含むことを特徴とする。【００１３】  請求項５に記載の発明は、請求項４に記載の空調衣服の服本体において、  前記開口孔周辺紐保持手段と、前記開口孔間紐保持手段と、は前記紐状部材を挿通可能な開口部を有し、前記開口孔周辺紐保持手段の開口部は、前記開口孔間紐保持手段の開口部と比較して、水平方向の最大径が小さいことを特徴とする。【００１４】  請求項６に記載の発明は、請求項２から５のいずれか一項に記載の空調衣服の服本体において、  前記紐状部材は、弾性を有する材料によって形成されていることを特徴とする。【００１５】  請求項７に記載の発明は、請求項２に記載の空調衣服の服本体において、  前記紐状部材は、前記開口孔の近傍において前記服地部に固定されていることを特徴とする。【００１６】  請求項８に記載の発明は、請求項７に記載の空調衣服の服本体において、  前記開口孔は、前記服地部の丈方向において略同一の位置に２か所形成され、  前記紐状部材は、一端部が右側の開口孔の近傍において前記服地部に固定された右紐状部材と、一端部が右側の開口孔の近傍において前記服地部に固定され、他端部が左側の開口孔の近傍において前記服地部に固定された中央紐状部材と、一端部が左側の開口孔の近傍において前記服地部に固定された左紐状部材と、を含むことを特徴とする。【００１７】  請求項９に記載の発明は、請求項８に記載の空調衣服の服本体において、  前記中央紐状部材は、前記右紐状部材及び前記左紐状部材と比較して、弾性が小さい部材であることを特徴とする。【００１８】  請求項１０に記載の発明は、請求項２から９のいずれか一項に記載の空調衣服の服本体において、  前記紐状部材の一端部には第１連結手段が備えられ、前記紐状部材の他端部には第２連結手段が備えられ、  前記第１連結手段と前記第２連結手段とは、着用者の前方において着脱自在に構成されていることを特徴とする。【００１９】  請求項１１に記載の発明は、請求項２から１０のいずれか一項に記載の空調衣服の服本体において、  前記膨張規制手段は、前記紐状部材の長さを調整する調整手段を備えることを特徴とする。【００２０】  請求項１２に記載の発明は、請求項１から１１のいずれか一項に記載の空調衣服の服本体を備えた空調衣服である。
【発明の効果】
【００２１】  本発明によれば、ファンを取り付けた部位が膨らむことを防止することができる空調衣服の服本体及び空調衣服を提供することができる。
【図面の簡単な説明】
【００２２】
【図１】第１実施形態に係る空調衣服の非着用時における正面図である。
【図２】第１実施形態に係る空調衣服の着用時における、ファンの上部から下方を見た断面図である。
【図３Ａ】開口孔の端部付近において開口孔周辺紐保持手段に通された紐状部材が、体と接する形で服地部を引く際の角度等を示す説明図である。
【図３Ｂ】図３Ａにおける直角三角形Ａから作成した力のベクトルの直角三角形Ｂを示す説明図である。
【図４】第２実施形態に係る空調衣服の非着用時における正面図である。
【図５】第２実施形態に係る空調衣服の着用時における、ファンの上部から下方を見た断面図である。
【発明を実施するための形態】
【００２３】  以下、本発明の実施の形態である空調衣服について、図１から図５に基づいて説明する。ただし、本発明の技術的範囲は図示例に限定されない。  なお、以下においては、着用者が空調衣服を着用した状態を基準として、着用者の前側を前、着用者の後側を後、着用者の上側を上、着用者の下側を下、着用者の右手側を右、着用者の左手側を左と定めて説明する。
【００２４】（第１実施形態）  第１実施形態に係る空調衣服１００について、図１から図３に基づいて説明する。
【００２５】（実施形態の構成）  第１実施形態に係る空調衣服１００は、図１に示すように、服本体１と、ファン２、２と、電源装置（不図示）と、電源ケーブル（不図示）と、を備える。
【００２６】（服本体）  服本体１は、図１に示すように、服地部１１と、開閉手段１２と、裾部空気漏れ防止手段１３と、膨張規制手段１４と、間隔保持手段１５、１５と、を備える。
【００２７】（服地部）  服地部１１は、図１に示すように、通気性のないシート状素材又はファン２、２による空気の導入によって膨らませることができる程度の通気性を有するシート状素材によって、着用者の胴部及び腕部を覆う形状に形成されている。本実施形態では、図１に示すように、服本体１をブルゾン型の上衣の形状に形成しているが、服本体１の形状はこれに限られず、例えば着用者の胴部のみを覆うベスト型に形成してもよい。また、つづき服や冬用コートのように下半身も覆うようにしてもよい。この場合、裾部空気漏れ防止手段１３は必ずしも必要ではない。  服地部１１には、２つの開口孔１１１、１１１と、襟部空気排出部１１２と、袖部空気排出部１１３、１１３と、が形成されている。
【００２８】  開口孔１１１、１１１は、服地部１１の着用者の腰の左右に対応する位置に形成された、空調衣服１００の着用時において、外部と、服地部１１と着用者の身体ＢＤとの間の空間とを繋ぐこととなる孔部である。２つの開口孔１１１、１１１は、服地部１１の丈方向において略同一の位置に並んで形成されている。そして、開口孔１１１、１１１にはファン２，２が取り付けられる。  なお、開口孔１１１、１１１が形成される位置としては、上記の位置に限られず、服地部１１の側面、前身頃等に形成することも可能である。また、開口孔１１１が形成される箇所は、２か所に限られず、これより少数又は多数の開口孔１１１…を形成し、これに対応した数のファン２…を備えてもよい。
【００２９】  襟部空気排出部１１２は、ファン２、２によって開口孔１１１、１１１から導入された空気を着用者の身体ＢＤ又は下着に沿って流通させた後に排出するため、着用者の首と服地部１１の襟部の端部との間に形成された開口部である。  袖部空気排出部１１３、１１３は、ファン２、２によって開口孔１１１、１１１から導入された空気を着用者の身体ＢＤ又は下着に沿って流通させた後に排出するため、着用者の腕と服地部１１の袖部の端部との間に形成された開口部である。
【００３０】（開閉手段）  開閉手段１２は、服地部１１の前部に備えられ、空調衣服１００を着用する際に、服地部１１の前部を開閉するためのものである。開閉手段１２としては、例えば、ファスナー等が用いられる。
【００３１】（裾部空気漏れ防止手段）  裾部空気漏れ防止手段１３は、図１に示すように、服地部１１下部に備えられた、服地部１１と着用者の身体ＢＤとの間の空間内の空気が服地部１１の裾部から外部に漏れることを防止するための部材であり、例えば、服地部１１の下部の端部付近に、ゴム紐等の伸縮性のある部材を、着用者の身体ＢＤを周回するように備えることによって形成される。空調衣服１００の着用時においては、裾部空気漏れ防止手段１３によって、服地部１１の裾部が絞り込まれて着用者の身体ＢＤに密着し、服地部１１下部から空気が外部に漏れることを防止することができる。
【００３２】（膨張規制手段）  膨張規制手段１４は、服地部１１の開口孔１１１、１１１が形成された部分の膨張を規制し、ファン２、２を空調衣服１００の着用者の身体ＢＤに密着させるためのものであり、図１及び図２に示すように、紐状部材１４１と、開口孔周辺紐保持手段１４２…と、開口孔間紐保持手段１４３…と、を備える。
【００３３】（紐状部材）  紐状部材１４１は、ゴム紐等の弾性を有する材料によって形成された紐状の部材であり、図１及び図２に示すように、空調衣服１００の着用時において、服地部１１の裏面側を、開閉手段１２付近を除いて地面と略平行に周回するように備えられている。また、図１に示すように、紐状部材１４１は、服地部１１の丈方向において開口孔１１１、１１１が形成されたのと略同一の位置に備えられている。紐状部材１４１の形状としては、開口孔周辺紐保持手段１４２…及び開口孔間紐保持手段１４３…に通すことができれば、任意の形状を使用可能であり、紐状部材１４１には、例えば、一定の幅を有する帯状の部材も含むものとする。
【００３４】  図１に示すように、紐状部材１４１の両端部は、開閉手段１２の左右において服地部１１に固定されている。なお、図中の「・」は、服地部１１への固定点を示している。また、紐状部材１４１は、開口孔周辺紐保持手段１４２…と、開口孔間紐保持手段１４３…と、に通されている。なお、紐状部材１４１の両端部の服地部１１への固定位置は、必ずしも開閉手段１２の左右近傍である必要はなく、服地部１１の前身頃に取り付けられていればよい。
【００３５】（開口孔周辺紐保持手段）  開口孔周辺紐保持手段１４２…は、紐状部材１４１を挿通可能な開口部を有し、図１に示すように、開口孔１１１、１１１の周辺において、開口孔１１１各々の左右と、下部と、において、服地部１１に備えられている。
【００３６】  開口孔周辺紐保持手段１４２…としては、紐状部材１４１を保持し、服地部１１の開口孔１１１、１１１周辺の膨張を規制することが可能であれば、種々の形状及び材料を使用可能であり、例えば、一般的なベルト通しのように、縦長の布を上下２カ所において縫い付けることにより形成される。
【００３７】  また、開口孔周辺紐保持手段１４２…の開口部は、空調衣服１００の着用時における水平方向の最大径が、紐状部材１４１を通すことができる範囲で、できる限り小さくなるように形成されている。これによって、後述のように、紐状部材１４１による張力が小さくても、ファン２、２を十分に身体に密着させることが可能となる。  なお、水平方向の最大径とは、例えば、上記の一般的なベルト通しのように形状が変形する場合には、これが水平方向に最大限伸ばされた際の、開口部の水平方向に最も長い部分の長さを指すものとし、例えば、金属等で形成された場合のように形状が変形しない場合には、当該形状における、開口部の水平方向に最も長い部分の長さを指すものとする。
【００３８】（開口孔間紐保持手段）  開口孔間紐保持手段１４３…は、紐状部材１４１を挿通可能な開口部を有し、図１及び図２に示すように、開口孔１１１、１１１から離間し、空調衣服１００の着用時において、開口孔１１１、１１１の間となる位置において、服地部１１に備えられている。  図１及び図２においては、服地部１１後部の開口孔１１１、１１１の間の位置と、服地部１１左前部の、左側の開口孔１１１と開閉手段１２との間の位置と、服地部１１右前部の、右側の開口孔１１１と開閉手段１２との間の位置に備えられた場合について図示したが、開口孔間紐保持手段１４３…の配置はこれに限られない。
【００３９】  開口孔間紐保持手段１４３…としては、紐状部材１４１を保持し、服地部１１の膨張を規制することが可能であれば、種々の形状及び材料を使用可能であり、例えば、一般的なベルト通しのように縦長の布を上下２カ所において縫い付けることにより形成される。  また、開口孔間紐保持手段１４３…の開口部は、服地部１１がファン２、２によって導入された空気の圧力によって膨らみ過ぎることを防ぎつつ、かつ着用者の身体ＢＤとの間に空気を流通させるための適正な間隔を確保するため、空調衣服１００の着用時における水平方向の最大径が、開口孔周辺紐保持手段１４２…と比較して、大きくなるように形成されている。  具体的には、例えば、着用者の身体ＢＤと、服地部１１との間の適正な間隔が３ｃｍであるとすると、最大径３．３ｃｍ程に形成される。
【００４０】（間隔保持手段）  間隔保持手段１５、１５は、服地部１１と着用者の身体ＢＤとの間に空気を流通させる空間を確保するためのものであり、例えば厚さ数ｃｍほどのフェルトが用いられる。間隔保持手段１５、１５は、図１及び図２に示すように、開閉手段１２の左右において、服地部１１に備えられている。  なお、図１及び図２においては、紐状部材１４１と間隔保持手段１５、１５とが同一の高さに備えられ、紐状部材１４１と間隔保持手段１５、１５とが接する場合について図示しているが、間隔保持手段１５、１５は、紐状部材１４１の張力によって、服地部１１の紐状部材１４１を取り付けた部位周辺が着用者の身体ＢＤと密着することを防ぎ、空気が流通するための空間を確保するためのものであるため、必ずしも紐状部材１４１と間隔保持手段１５、１５とが接する必要はなく、間隔保持手段１５、１５は、紐状部材１４１を服地部１１に固定した部位の近傍に配すればよい。
【００４１】（ファン）  ファン２、２は、図１及び図２に示すように、開口孔１１１、１１１に取り付けられ、開口孔１１１、１１１を通して、服地部１１と着用者の身体ＢＤとの間の空間に空気を導入するためのものである。なお、ファン２、２としては、公知の任意の構成を採用可能であるから、詳細な説明は省略する。ファン２、２には、電源装置（不図示）と、電源ケーブル（不図示）と、によって、必要な電力が供給される。
【００４２】（実施形態の効果）  第１実施形態に係る空調衣服１００の着用時には、ファン２、２によって、開口孔１１１、１１１を通して服本体１の内部に空気が送られ、服本体１内部が陽圧となる。  これによって、服地部１１が膨らむこととなるが、服地部１１のファン２、２が取り付けられる開口孔１１１、１１１の周辺は、膨張規制手段１４の紐状部材１４１の弾性によって、開口孔周辺紐保持手段１４２…を介して前方に引かれることとなるため、ファン２、２は、略垂直に着用者の身体ＢＤに押し付けられ、密着することとなる。これによって、服地部１１の、ファン２、２が取り付けられた部位が大きく膨らむことを防止でき、上記のような弊害を防止できる。
【００４３】  また、第１実施形態によれば、紐状部材１４１は、ファン２、２自体ではなく、開口孔１１１、１１１周辺の服地部１１を、開口孔周辺紐保持手段１４２…を介して引くこととなり、かつ、開口孔周辺紐保持手段１４２…の開口部は、空調衣服１００の使用時における水平方向の最大径が、紐状部材１４１を通すことができる範囲で、できる限り小さくなるように形成されているため、紐状部材１４１は、開口孔周辺紐保持手段１４２…を引く際、服地部１１に接するか、極めて近接した状態となる。  これによって、以下において説明するように、ファン２、２を着用者の身体ＢＤに押し付けるために要する紐状部材１４１による張力はごく小さなものとなり、ファン２、２が体に密着することによる不快感が生じることはない。
【００４４】  また、このように紐状部材１４１の張力がごく小さなものでよいため、紐状部材１４１の一部又は全部に伸縮性を有するゴム紐等を使用した場合、着用者の胴径の違いを吸収することができ、必ずしも紐の長さの調整を必要としない。
【００４５】（紐状部材による張力）  紐状部材１４１による張力が小さくて済む理由を、図３Ａ及び図３Ｂに基づいて説明する。  なお、ファン２、２により外気を服本体１内に取り込む事により服本体１内が陽圧となることや、ファン２、２の噴射力によりファン２、２が受ける力はごく僅かであり、人が動くとき、特に回転するときの遠心力の方が大きいことは自明であるため、以下においては遠心力のみを考察する。
【００４６】  また、以下においては、次の条件の基で計算を行う。１  胴回りは、円周１００ｃｍの円とする（半径１５９ｍｍ）。２  回転速度は１回転/秒とする（ω＝２πｘ１）。３  服地の内面のファン２、２の高さを３０ｍｍとする。４  ファン２、２の重量を１００グラムとする。５  ファン２、２の重心はファン２、２の底部から２０ｍｍの位置とする。
【００４７】  上記の１と５より、ファン２、２の重心位置の半径ｒは約１７９ｍｍとなり、遠心力Ｆは、Ｆ＝ｍω＾２ｒから約０．７０７Ｎとなる。
【００４８】  図３Ａは開口孔１１１の端部付近において開口孔周辺紐保持手段１４２に通された紐状部材１４１が体と接する形で服地部１１を引く際の角度等を示す直角三角形Ａ、図３Ｂは直角三角形Ａから作成した力のベクトルの直角三角形Ｂを表している。
【００４９】  上記遠心力Ｆの値である０．７０７Ｎを得るために必要となる紐状部材１４１の張力は、次のように計算される。
【００５０】  図３Ａに示すように、ファン２、２の高さは３０ｍｍであり、これが半径１５９ｍｍの円に接することから、直角三角形Ａの斜辺Ｌ１は１８９ｍｍ、底辺は１５９ｍｍである。このとき、角度θ１は約３２．７°、θ２は約５７．３°となる。  紐状部材１４１は、両側から開口孔１１１周辺を引くこととなるため、０．７０７Ｎを生むために、紐状部材１４１の片側が生み出す必要のある張力Ｆ１は０．３５４Ｎである。したがって、直角三角形Ｂから、Ｆ２＊ＣＯＳ５７．３＝０．３５４となり、紐状部材１４１の張力Ｆ２はＦ２＝約０．６５Ｎとなる。
【００５１】  以上の計算から明らかなように、第１実施形態によれば、服地部１１の開口孔１１１、１１１周辺と、ファン２、２の着用者の身体ＢＤと接する面と、の着用者の身体ＢＤと垂直な方向の距離が大きいことから、紐状部材１４１による張力は小さくて済み、僅か０．６５Ｎの張力により、１００ｇのファンを遠心力から守ることができることとなる。この点からも、本実施形態が非常に合理的な方法であることが分かる。
【００５２】（変形例）  紐状部材１４１は、服地部１１に対して着脱自在として、複数種類の紐状部材１４１から着用者が任意のものを選択できるようにしてもよい。  また、紐状部材１４１に長さを調整するための調整手段を備え、着用者が紐状部材１４１の服地部１１の膨張の規制に利用される部分の長さを調整することができるようにしてもよい。調整手段としては、例えばコードロックを用い、紐状部材１４１を、折り畳まれた状態でコードロックに通し、コードロックの固定位置を変えることで、紐状部材１４１の服地部１１の膨張の規制に利用される部分の長さを調整できるようにする。  また、ファン２、２を着用者の身体ＢＤに密着させることのみを目的とするのであれば、開口孔間紐保持手段１４３…及び間隔保持手段１５、１５を備えずともよい。  また、紐状部材１４１の両端部は、服地部１１に固定せずに、紐状部材１４１の一端部に第１連結手段を設け、他端部に第２連結手段を設け、両者を着脱自在とすることで、後述の第２実施形態と同様に、紐状部材の端部同士を、着用者の身体ＢＤの前方において固定することができるようにしてもよい。  その他、服地部１１のファン２、２が取り付けられた部位が大きく膨らむことを防止できる範囲で、紐状部材１４１の形状、配置、弾性の有無及び服地部１１への固定方法等、開口孔周辺紐保持手段１４２…の形状及び配置等並びに開口孔間紐保持手段１４３…の形状及び配置等については、適宜変更することが可能である。
【００５３】（第２実施形態）  第２実施形態に係る空調衣服１００Ａについて、図４及び図５に基づいて説明する。なお、第１実施形態に係る空調衣服１００と同一の部分については、同一の符号を付して説明を省略する。
【００５４】（実施形態の構成）  空調衣服１００Ａの服本体１Ａは、図４及び図５に示すように、服地部１１と、開閉手段１２と、裾部空気漏れ防止手段１３と、膨張規制手段１４Ａと、を備える。
【００５５】  膨張規制手段１４Ａは、図４及び図５に示すように、右側の開口孔１１１の右に配置された右紐状部材１４４と、開口孔１１１、１１１の間に配置された中央紐状部材１４５と、左側の開口孔１１１の左に配置された左紐状部材１４６と、によって構成されている。図４においては、右紐状部材１４４、中央紐状部材１４５及び左紐状部材１４６として、一定の幅を有する帯状の部材を用いているが、これに限られず、例えば幅の狭い紐状のものであってもよい。
【００５６】  右紐状部材１４４及び左紐状部材１４６としては、弾性を有する部材が用いられ、例えば、ベルト状に形成された平ゴム等が用いられる。  また、右紐状部材１４４は、その一端部が、図４及び図５に示すように右側の開口孔１１１の近傍において、服地部１１に縫い付ける等の方法によって直接固定されている。また、他端部には、第１連結手段１４４１が備えられている。  また、左紐状部材１４６は、その一端部が、図４及び図５に示すように左側の開口孔１１１の近傍において、服地部１１に縫い付ける等の方法によって直接固定されている。また、他端部には、第２連結手段１４６１が備えられている。
【００５７】  第１連結手段１４４１と第２連結手段１４６１とは、着脱自在に構成されており、空調衣服１００Ａの着用時においては、図５に示すように、右紐状部材１４４の服地部１１に固定されていない方の端部と、左紐状部材１４６の服地部１１に固定されていない方の端部とを、着用者の身体ＢＤの前方において固定することができる。なお、第１連結手段１４４１及び第２連結手段１４６１としては、右紐状部材１４４の服地部１１に固定されていない方の端部と、左紐状部材１４６の服地部１１に固定されていない方の端部とを着脱自在とすることが可能であれば、所定の端子やフック等任意の構成を採用することが可能である。  空調衣服１００Ａの着用時には、着用者は、第１連結手段１４４１と第２連結手段１４６１とを固定することで、右紐状部材１４４と、左紐状部材１４６とを接続した後、開閉手段１２を閉じることとなる。
【００５８】  中央紐状部材１４５は、弾性のない部材、又は右紐状部材１４４及び左紐状部材１４６と比較して弾性の小さい部材であり、図４及び図５に示すように、その一端部が、右側の開口孔１１１の近傍において服地部１１に縫い付ける等の方法によって直接固定され、他端部が、左側の開口孔１１１の近傍において服地部１１に縫い付ける等の方法によって直接固定されている。  また、中央紐状部材１４５は、図５に示すように、中央紐状部材１４５が固定された服地部１１の２点の間の服地部１１に沿った間隔よりも短くなるように形成されている。
【００５９】  なお、右紐状部材１４４、中央紐状部材１４５及び左紐状部材１４６の服地部１１への固定方法は、これらを服地部１１に対して固定可能であれば各種の一般的な方法を使用可能であり、例えば、ボタンやフック等を使用して、服地部１１に対して、着脱自在とされていてもよい。
【００６０】（実施形態の効果）  本実施形態によれば、第１実施形態のような紐保持手段を用いることなく、第１実施形態に係る空調衣服１００と同様の効果を得ることができる。また、この場合も、右紐状部材１４４及び左紐状部材１４６による張力は小さなものでよい。
【００６１】  また、中央紐状部材１４５が、弾性のない、又は右紐状部材１４４及び左紐状部材１４６と比較して弾性の小さい部材によって形成されていることによって、右紐状部材１４４及び左紐状部材１４６とのバランスにより中央紐状部材１４５が伸縮して、ファン２、２の間隔が変動してしまうことを防止することができる。これによって、ファン２、２の間隔を最適に保つことが容易となる。
【００６２】  また、空調衣服１００Ａの着用時には、右紐状部材１４４と左紐状部材１４６とが、第１連結手段１４４１と、第２連結手段１４６１とによって固定される。これによって、右紐状部材１４４及び左紐状部材１４６が、前身頃において服地部１１に固定されることがなくなるため、服地部１１の前身頃が後方へと引っ張られて縒れてしまうことがなくなり、着用時の空調衣服の外見を向上させることができる。また、紐状部材を服地部の前身頃に縫い付ける必要がなくなるため、空調衣服の製造も容易となる。
【００６３】  また、中央紐状部材１４５が、これが固定された服地部１１の２点の間の服地部１１に沿った間隔よりも短くなるように形成されていることによって、服地部１１の当該箇所には、図５に示すように一定の弛みが形成されることとなる。これによって、着用者の身体ＢＤの背中側に空気の流通路を確保し易くなる。
【００６４】（変形例）  右紐状部材１４４、中央紐状部材１４５及び左紐状部材１４６は、いずれもその長さを調整するための調整手段を備えていてもよい。調整手段としては、第１実施形態の変形例と同様、例えばコードロックを用いることができる。  また、右紐状部材１４４又は左紐状部材１４６のいずれかに調整手段が備えられた場合、これによって適宜長さを調整できるため、右紐状部材１４４及び左紐状部材１４６は、必ずしも弾性を有せずともよい。  また、右紐状部材１４４及び左紐状部材１４６は、連結手段を備えることなく、第１実施形態と同様に開閉手段１２の左右において服地部１１に直接固定されるようにしてもよい。  その他、服地部１１のファン２、２が取り付けられた部位が大きく膨らむことを防止できる範囲で、右紐状部材１４４、中央紐状部材１４５及び左紐状部材１４６の形状、配置及び服地部１１への固定方法等については、適宜変更することが可能である。
【産業上の利用可能性】
【００６５】  本発明は、空調衣服の服本体及び空調衣服に利用することができる。
【符号の説明】
【００６６】１００、１００Ａ  空調衣服１、１Ａ  服本体  １１  服地部    １１１  開口孔    １１２  襟部空気排出部（空気排出部）    １１３  袖部空気排出部（空気排出部）  １４、１４Ａ  膨張規制手段    １４１  紐状部材    １４２  開口孔周辺紐保持手段（紐保持手段）    １４３  開口孔間紐保持手段（紐保持手段）    １４４  右紐状部材      １４４１  第１連結手段    １４５  中央紐状部材    １４６  左紐状部材      １４６１  第２連結手段２  ファンＢＤ  身体
【図１】
2018146915.tif 000003
【図２】
2018146915.tif 000004
【図３Ａ】
2018146915.tif 000005
【図３Ｂ】
2018146915.tif 000006
【図４】
2018146915.tif 000007
【図５】
2018146915.tif 000008
【国際調査報告】
2018146915.tif 000009
2018146915.tif 000010
2018146915.tif 000011